(57)【要約】  本発明は、支持部材１２上に配置された少なくとも１つのＬＥＤ照明素子１５を有する照明装置に関する。第１方向ＯにＬＥＤ照明素子１５から離間して光学素子１６が配置される。ＬＥＤ照明素子１５に対する位置に光学素子１６を保持するホルダ１４が設けられる。ホルダ１４は少なくとも、支持部材１２から第１方向Ｏに延在する第１の保持部２４ａと、光学素子１６に接続された第２の保持部２４ｂとを有する。第２の保持部２４ｂは、少なくとも一部が第１方向Ｏに延在するように構成される。第２の保持部２４ｂは、第１方向Ｏに対して交差する方向に第１の保持部２４ａから離間される。温度変化及び熱膨張係数のミスマッチに起因する歪みが生じる場合、この照明装置は、ＬＥＤ照明素子１５に対する光学素子１６の変位における変動を最小化する。
2019503048.tif 000002
【特許請求の範囲】
【請求項１】
支持部材上に配置された少なくとも１つのＬＥＤ照明素子と、
第１方向に前記ＬＥＤ照明素子から離間して配置された光学素子と
を有し、
前記ＬＥＤ照明素子に対する位置に前記光学素子を保持するホルダが設けられ、
前記ホルダは少なくとも、前記支持部材から前記第１方向に延在する第１の保持部と、前記光学素子に接続された第２の保持部とを有し、
前記第２の保持部は、前記第２の保持部の少なくとも一部が前記第１方向に延在するように構成され、
前記第２の保持部は、前記第１方向に対して交差する方向に前記第１の保持部から離間され、
前記第１及び第２の保持部は、第１の接続部によって接続され、
前記第１の接続部は、前記第１及び第２の保持部の双方と角度をなすように構成され、
前記第１の接続部は、前記第１及び第２の保持部よりも大きい厚さを持つ平面壁素子として設けられ、
前記光学素子は、前記第１及び第２の保持部とともに１つの部品として設けられる、
照明装置。
【請求項２】
前記第１の保持部は、前記第１方向に前記光学素子を超えて延在している、請求項１に記載の照明装置。
【請求項３】
前記第１及び第２の保持部は、少なくとも実質的に互いに平行に構成される、請求項１又は２に記載の照明装置。
【請求項４】
前記第１の接続部は、前記第１方向に対して実質的に垂直に延在している、請求項１に記載の照明装置。
【請求項５】
前記第２の保持部は、第２の接続部によって前記光学素子に接続され、
前記第２の接続部は、前記第１方向に対して実質的に垂直に延在している、
請求項１乃至４のいずれか一項に記載の照明装置。
【請求項６】
前記支持部材上に、互いに離間して複数のＬＥＤ照明素子が配置され、
前記第１方向に前記複数のＬＥＤ照明素子から離間して複数の光学素子が配置され、
前記複数の光学素子は互いに接続されている、
請求項１乃至５のいずれか一項に記載の照明装置。
【請求項７】
前記第１及び第２の保持部は平面壁素子として設けられる、請求項１乃至６のいずれか一項に記載の照明装置。
【請求項８】
前記第１及び第２の保持部は、前記光学素子を取り囲むように構成される、請求項１乃至７のいずれか一項に記載の照明装置。
【請求項９】
前記ホルダは、互いに平行に配置された一対の第１のハウジング壁と、互いに平行に配置された一対の第２のハウジング壁と、を少なくとも有する箱形ハウジングであり、
前記第１及び第２のハウジング壁は、少なくとも実質的に互いに垂直に配置される、
請求項１乃至８のいずれか一項に記載の照明装置。
【請求項１０】
前記ホルダはベース部を有し、
前記ベース部を前記支持部材に固定するようにクランプ素子が構成されている、
請求項１乃至９のいずれか一項に記載の照明装置。
【請求項１１】
前記光学素子は、少なくともコリメータ素子及び／又はレンズ素子を有する、請求項１乃至１０のいずれか一項に記載の照明装置。
【発明の詳細な説明】
【技術分野】
【０００１】
本発明は、照明の分野に関し、より具体的には、少なくとも１つのＬＥＤ照明素子と光学素子とを有する照明装置に関する。
【背景技術】
【０００２】
ＬＥＤを用いた照明装置が、ますます多くの照明用途で使用されている。多くの場合、所望の特性の放射光ビームを得るために、光放射を変化させるように、例えばレンズ、リフレクタ及び／又はコリメータなどの光学素子がＬＥＤの前に配置される。
【０００３】
放射光の特性は、ＬＥＤに対する光学素子の正確な位置決めに依存し得る。故に、光学素子の正確な位置決めが有利である。
【０００４】
ＤＥ１０２００８０４７２７７Ａ１（特許文献１）は、電荷結合素子チップに対して焦点面を変化させるように対物レンズを保持するキャリア装置を有する装置を示している。対物レンズは光軸に沿って延在する補償体の一セクションに配置され、補償体は別の一セクションでキャリア装置と接続される。補償体は、光学部品に対する焦点面の配置の温度依存変化がバランスするような大きさの熱膨張係数を持つ材料を含んでいる。
【０００５】
ＵＳ５２７０８７０Ａ（特許文献２）は、円形フォールドバックフレクシャプレートからレンズバレルによって間隔を置かれたコリメータレンズを含んだ、断熱化されたビーム源・コリメータアセンブリを開示している。円形フォールドバックフレクシャプレートは、ビーム源を周囲環境から隔離するとともにアセンブリを断熱化するように、ビーム源マウントに隣接して円形フォールドバックフレクシャを組み込んでいる。ビーム源マウント及び円形フォールドバックフレクシャプレートは、ビーム源マウントに取り付けられたビーム源の部分と組成及びＣＴＥにおいて同じ材料で構成されている。
【０００６】
ＥＰ２８８４１５７Ａ２（特許文献３）は、少なくとも１つの半導体光源と、該半導体光源から放たれた光を集めて二次光学系に導く一次光学系とを有する自動車ヘッドランプを示しており、一次光学系は、光源からの光を光入射表面を介して受け取り、光は、光出射表面を介して放出され、一次光学系は接続フランジを有し、それを用いて一次光学系が少なくとも２つの固定ベアリングのホルダ内に保持され、接続フランジの第１のセクションがドームのように湾曲されている。
【先行技術文献】
【特許文献】
【０００７】
【特許文献１】独国特許出願公開第１０２００８０４７２７７号明細書
【特許文献２】米国特許第５２７０８７０号明細書
【特許文献３】欧州特許出願公開第２８８４１５７号明細書
【発明の概要】
【０００８】
広範囲の動作条件にわたって光学素子の安定した位置決めを達成することが１つの目的であると考え得る。
【０００９】
これは、請求項１に記載の照明装置によって達成され得る。従属請求項が好適実施形態を表す。
【００１０】
本発明者が考えることには、例えば周囲温度の変化に起因する又は熱として放散されるＬＥＤ動作電力に起因するといった、熱的な変化は、光学素子をＬＥＤに対して取り付けるために設けられる保持構造に有意な影響を及ぼし得る。特に、ＬＥＤ及び光学素子を支持する構造体が、異なる熱膨張係数（ＣＴＥ）を持つ異なる部分又は異なる材料からなる場合、その構造体は、温度上昇に伴って歪みを受け、それが、ＬＥＤ及び光学素子の相対的な配置における変動につながり得る。光学素子の位置決めの熱的安定性を改善するために、本発明者は、有意なＣＴＥミスマッチの場合であっても比較的低い温度感度を持つことが証明された特別な構造を提案する。
【００１１】
本発明に従った照明装置は、少なくとも１つのＬＥＤ照明素子を有する。ＬＥＤ照明素子なる用語は、例えば発光ダイオード、有機発光ダイオード、レーザダイオードなどの、任意のタイプのソリッドステート照明素子を含むと理解されるべきである。ＬＥＤ照明素子は、このようなソリッドステート照明素子のうちの単一のもの又は複数のものを含むことができ、例えば、近接して配置された１つ又は複数の発光ダイオードを有し得る。
【００１２】
このようなＬＥＤ照明素子のうちの１つ又は複数が、支持部材上に配置され得るとともに、少なくとも１つの光学素子が、例えば光軸に沿った第１方向にＬＥＤ照明素子から離間されて配置され得る。好ましくは、光学素子は、ＬＥＤ照明素子の前に直接的に、特に好ましくは、例えばＬＥＤ照明素子の発光表面に垂直といった主たる光放射方向に、配置される。
【００１３】
光学素子は、特にＬＥＤ照明素子から放射された光のビームを変更するための、光学機能を有する任意のタイプの素子とし得る。故に、光学素子は、リフレクタ、コリメータ、レンズ、光学フィルタ、バッフルなど、又はこのような素子の組み合わせを有することができ、又はそれから構成されることができる。好ましくは、それは透明又は半透明の材料で製造され、又は少なくともそれを有する。光学素子は好ましくは、ＬＥＤ照明素子から光を受け取り、例えば集束、コリメート、フィルタリングなどされるとし得る変更されたビームを放射する。
【００１４】
光学素子をＬＥＤ照明素子に対する位置に保持するホルダが設けられる。本発明に従ったホルダは、少なくとも第１及び第２の保持部を有するように、特別に設計された構造を持つ。第１の保持部は、支持部材から第１方向に延在し、光学素子に直接的又は間接的に接続されるものである第２の保持部は、その少なくとも一部がやはり第１方向に延在するように構成される。第２の保持部は、例えば第１方向に対して垂直といった横断方向に第１の保持部から離間される。
【００１５】
本発明に従った照明装置用に提案されるホルダは、例えば支持部材とホルダとの間の、厳しいＣＴＥミスマッチの場合であっても、光学素子の安定した位置決めを達成することができるように設計された構造を持つ。第１及び第２の保持部は、整列されずに横断方向にオフセットされ、故に、例えばループ状構造を形成することができる。ループの形状をしたホルダの部分が、バネとして機能し、すなわち、変形し得る。厳しいＣＴＥミスマッチの場合、例えば光軸である第１方向に対する光学素子の位置は、第１及び第２の保持部によって熱膨張を第１方向において少なくとも部分的に補償することができるので、比較的安定したままであることができる。
【００１６】
好適実施形態によれば、第１の保持部は、光学素子を超えて第１方向に延在し得る。そして、第２の保持部は、光学素子へのその接続点からやはり第１方向に延在し得る。故に、ループが形成され得る。
【００１７】
上で説明したように、第２の保持部の少なくとも一部は、第１方向に延在する。これは、例えば、第２の保持部が第１方向に対して例えば２５−６５°の角度をなすといった、傾斜配置をもカバーすると理解されるべきである。また、これは、角度をなさない、例えば、湾曲した又は丸みを帯びた形状の第２の保持部を含む（それらが少なくとも部分的に第１方向に延在する限りにおいて）。しかしながら、第１及び／又は第２の保持部を、少なくとも実質的に真っ直ぐ延在するように設けることが好ましい。特に、第１及び第２の保持部が少なくとも実質的に互いに平行に配置され得ることが好ましい。用語“少なくとも実質的に”は、例えば＋／−１５°以下、好ましくは＋／−５°以下などの、小さい違いをカバーすると理解されるべきである。
【００１８】
本発明の一態様によれば、第１及び第２の保持部は第１の接続部によって接続され、第１の接続部は第１及び第２の保持部の双方と角度をなすように構成される。その角度は、例えば、３０°よりも大きいとすることができ、好ましくは６０°よりも大きいとし得る。特に好適な一実施形態において、第１及び第２の保持部は、第１の接続部に対して少なくとも実質的に直角に構成される。
【００１９】
第２の保持部は、光学素子に直に取り付けられてもよいし、あるいは、その接続は、１つ以上の介在素子を介して間接的であってもよい。好適な一実施形態において、第２の保持部は、第２の接続部によって光学素子に接続され得る。第２の接続部は、第１方向に対して少なくとも実質的に垂直（すなわち、９０°＋／−１５°、好ましくは９０°＋／−５°）に延在し得る。
【００２０】
ホルダは、第１及び第２の保持部の他に、１つ以上の更なる保持部を有していてもよい。一部の実施形態において、それら更なる保持部は、第１方向に延在することができ、少なくとも実質的に、互いに対して且つ第１及び第２の保持部に対して平行に構成され得る。これらの保持部は、垂直に配置され得るものである接続部によって相互接続され得る。一実施形態において、これらの保持部の長さは異なる。より短い保持部が光学素子のより近くに配置され得る。これらの保持部は、各々が、光学素子から離れる方向にその隣にある保持部よりも短いように、構成され得る。
【００２１】
この照明装置は、単一のＬＥＤ照明素子とそれに対応する光学素子とに関しても大きな利点を提供し得るが、複数のＬＥＤ照明素子とそれらに対して配置される対応する複数の光学素子とを配設することが特に好ましい。特に、複数のＬＥＤ照明素子が、例えば一直線に又はマトリクスに、互いに離間されて同一支持部材上に配列され得る。複数の光学素子は、同じ方向にＬＥＤ照明素子から離間されて配置され得る。特に、これらの光学素子は互いに接続されていてもよい。このホルダは、これらの光学素子のうちの２つ以上を、好ましくは全てを、支持部材に対する位置に保持し、斯くして全ての光学素子の正確な位置決めを確保するために設けられ得る。
【００２２】
ホルダは、数多くの異なる形状を有し得る。その主たる機能は、支持部材に対する光学素子の位置を定めること、すなわち、その変位を固定することである。この機能を果たすものである、すなわち、ｘ、ｙ、ｚ方向のうち少なくとも１つ、好ましくは２つ、更に好ましくは３つ全てに関して光学素子の位置を固定するものである任意のタイプ、形状又は構成のホルダが使用され得る。
【００２３】
好適な実施形態において、ホルダは、例えば、複数のバー、梁、又はその他の構造で構成され得る。好ましくは、少なくとも第１及び第２の保持部は、平面状の壁状の素子として設けられ得る。ホルダは、複数のそのような平面壁素子で構成され得る。第１の接続部は、第１及び第２の保持部よりも大きい厚さを持つ平面壁素子として設けられる。
【００２４】
好適な一実施形態において、第１及び第２の保持部は、光学素子を取り囲むように構成され得る。故に、ホルダの少なくとも一部は、光学素子を取り囲むハウジングとして構成され得る。特に、ホルダは、互いに平行に配置された一対の第１のハウジング壁と、互いに平行に配置された一対の第２のハウジング壁と、を少なくとも有する箱形ハウジングとし得る。第１及び第２のハウジング壁は好ましくは、少なくとも実質的に互いに垂直に配置される。
【００２５】
更なる好適な一実施形態において、ホルダは、例えば支持部材と接触するものであるベース部を有し得る。ベース部を支持部材に固定するようにクランプ素子が構成され得る。ホルダは、クランプ素子との係合のためのフランジを有し得る。
【００２６】
ホルダの第１及び第２の保持部を、例えば射出成形にて一緒に製造されるといった、１つの部品（１ピース）にて設けることが特に好ましい。本発明の一態様によれば、光学素子は、第１及び第２の保持部の双方とともに、並びにオプションで好ましくは接続部とともに、１ピースとして設けられる。１ピースにて光学素子を備えたホルダは、製造するのに特に単純であり効率的である。
【００２７】
本発明のこれら及びその他の態様が、以下に記載される実施形態を参照して明らかになる。
【図面の簡単な説明】
【００２８】
【図１】照明装置の第１の実施形態の斜視図を示している。
【図２】図１の照明装置の側面図を示している。
【図３】図１の照明装置の上面図を示している。
【図４】図３のＢ−Ｂに沿った長手方向の断面図を示している。
【図５】図２のＡ−Ａに沿った断面図を示している。
【図６】図５の部分Ｃの拡大図を示している。
【図７】照明装置の第２の実施形態の部分的な断面図を示している。
【図８】照明装置の第３の実施形態の部分的な断面図を示している。
【図９ａ】包括的な一実施形態に従ったホルダの構造を概略的に示している。
【図９ｂ】包括的な一実施形態に従ったホルダの構造を概略的に示している。
【図１０ａ】比較例に従ったホルダの構造を示している。
【図１０ｂ】比較例に従ったホルダの構造を示している。
【図１１】照明装置の第４の実施形態の部分的な断面図を示している。
【発明を実施するための形態】
【００２９】
図１−３に示す照明装置１０の第１の実施形態は、本例においてベースプレート１２である支持部材を有しており、その上に、複数の発光ダイオード１５（図６参照−図１−５では見えていない）と、多数の光学素子１６用のホルダ１４とが取り付けられている。当業者が理解するように、図示のベースプレート１２は、ベースプレート１２に対する光学素子１６の保持機能の説明に適した支持部材の単なる一例である。実際の実施形態において、ベースプレート１２は例えば回路ボードであり得る。より詳細な実施形態では、例えば電子部品、導電体トラック、熱インタフェース要素、及び／又は１つ以上のヒートシンクなどの、これらの図には示されない更なるコンポーネントが、ベースプレート１２上に配置され得る。
【００３０】
図示のように、ホルダ１４は、光学素子１６を取り囲むように箱形にされている。ホルダ１４は、例えばネジ接続によってベースプレート１２に固定され得るクランプ１８によって押し下げられるものである周囲フランジ２２を有している。
【００３１】
図４−６は、照明装置１０の断面図を示している。図６の拡大図に示すように、ＬＥＤ１５がベースプレート１２上に配置されている。光軸Ｏの方向に小さい距離ｄだけ離間されて、光学素子１６が位置決めされる。複数のＬＥＤ素子１５が、ベースプレート１２の頂面上に一列に配置されている。図４に示すように、複数の光学素子１６が各々、個々のＬＥＤ素子１５の正面に配置される。
【００３２】
各光学素子１６は、ＬＥＤ素子１５からの光を受けるようにＬＥＤ素子１５に向けて配置されたＴＩＲコリメータ部１６ａと、整形された照射ビームとして光軸Ｏの方向に光を放射するレンズ部１６ｂとを有している。図示の例では、ホルダ１４は、光学素子１６とともに１ピースにて製造され、例えば、シリコーンといった透明な材料からなる。
【００３３】
照明装置１０のこれら複数のＬＥＤ素子１５は、例えば自動車の前方照明に使用され得るものであるＬＥＤマトリクスを形成する。特に、照明装置１０は、特定の運転状況に合わせてビームを調節するために複数のＬＥＤが個別に又はセグメントにて動作され得るものである適応運転照明に使用され得る。
【００３４】
これらの図、特に、図４−６に示すように、光学素子１６は各々、ＬＥＤ素子１５の正面に配置される。距離ｄは好ましくは、ＬＥＤ素子１５からの光の、光学素子１６のＴＩＲコリメータ部１６ａへの良好なカップリングを可能にするように非常に小さい。
【００３５】
しかしながら、ＬＥＤ素子１５に対する光学素子１６の配置の変動、特に、距離ｄに対する変動が、出力ビームを有意に変化させてしまい得る。距離ｄの変動は、特に、出力ビームの強度を変化させてしまい得る。
【００３６】
図１０ａは、ＬＥＤ素子１５に対して光学素子１６を位置決めするための単純な箱形ホルダ１４’を模式的に表したものを示している。この比較例では、ホルダ１４’は、各サイドに、光軸Ｏの方向に真っ直ぐに延在する第１部分２４ａと、第１部分２４ａの端部から光学素子１６まで直角に延在する第２部分２６とを有している。
【００３７】
この比較例においてホルダ１４’の材料とベースプレート１２の材料との間に有意なＣＴＥミスマッチを仮定すると、温度上昇が、図１０ｂに模式的に示す歪みにつながることになる。図示のように、これは、ＬＥＤ素子１５と光学素子１６との相対的な配置における有意な変化、特に、これらの２つの素子間の距離に関する有意な変化につながることになる。
【００３８】
図９ａ、９ｂは、比較のための包括的な一実施形態に係るホルダ１４を示している。この包括的な実施形態において、ホルダ１４は、光学素子１６の両サイドに、光軸Ｏの方向に延在する第１部分２４ａと、それに平行に延在するが横方向にオフセットされた第２部分２４ｂとを含んでいる。これら第１及び第２の保持部２４ａ、２４ｂは、第１及び第２の保持部２４ａ、２４ｂの双方に対して直角に延在する第１の接続部２６ａによって接続されている。第２の保持部２４ｂは、これまた第１及び第２の保持部２４ａ、２４ｂと直角に構成された第２の接続部２６ｂによって光学素子１６に接続されている。
【００３９】
図９ａに示すように、第１の保持部２４ａは、光学素子１６を超えて光軸Ｏの方向に延在している。第２の保持部２４ｂは、第１の保持部２４ａから一定の距離を置いてそれに平行に構成されている。第２の保持部２４ｂ、第１の接続部２６ａ、及び第１の保持部２４ａの上部は、光学素子１６の両側に、ループ状の構造又はバネ構造を形成する。
【００４０】
図９ｂに示すように、温度が上昇し、厳しいＣＴＥミスマッチがある場合、ホルダ１４は有意な歪みを被るが、これは光学素子１６の位置決めに実質的な変化をもたらさない。保持部２４ａ、２４ｂ及び接続部２６ａ、２６ｂの角度関係が変化し、横方向の圧縮応力が光学素子１６内に生成され得るが、光軸Ｏに対する光学素子１６の位置決めは、比較的一定のままである。バネ／ループ構造は、第１の保持部の変形を少なくとも部分的に補償する。
【００４１】
図４、５の断面図に示す照明装置１０の第１の実施形態において、ホルダ１４は、光軸Ｏの方向に直線状に延在する第１（外側）の保持部２４ａと、それから離間されて平行に構成された第２（内側）の保持部２４ｂとを有している。図９ａ、９ｂの包括的な実施形態においてのように、第１の接続部２６ａが、第１及び第２の保持部２４ａ、２４ｂを接続するように横方向に構成され、第２の接続部２６ｂが、第２の保持部２４ｂを光学素子１６に接続するように構成されている。
【００４２】
図７、８、１１は、照明装置１０の他の実施形態を示しており、これらは、第１及び第２の保持部２４ａ、２４ｂの形状及び構成によって、第１の実施形態に従った照明装置１０とは異なる。
【００４３】
図７に従う第２の実施形態では、第１及び第２の保持部２４ａ、２４ｂが、例えば３０°といった角度をなして構成されている。図８に従う第３の実施形態では、第１及び第２の保持部２４ａ、２４ｂが湾曲部によって接続されている。
【００４４】
図１１に従う第４の実施形態では、第１及び第２の保持部２４ａ、２４ｂの他に、光軸Ｏの方向に平行に延在する更なる保持部２４ｃ、２４ｄが存在する。全ての保持部２４ａ−２４ｄが互いに離間して配置され、垂直な接続部によって相互接続されている。保持部２４ａ−２４ｄは、異なる長さのものであり、それらが光学素子１６に近づくほど短くなっている。故に、複数のループ／バネ構造が形成され、それらが、ＣＴＥミスマッチに起因する歪みが生じる場合に光軸Ｏの方向における変位を効果的に補償する。
【００４５】
ベースプレート１２の材料とホルダ１４及び光学素子１６の材料との間のＣＴＥミスマッチに対し、説明した保持構造の全てが、図１０ａ、１０ｂの比較例よりも改善された挙動を示す。第１の実施形態に従うホルダ１４で最良の結果が得られている。
【００４６】
図面及び以上の説明にて本発明を詳細に図示して記述してきたが、これらの図示及び記述は、限定的なものではなく、例示的又は典型的なものと見なされるべきであり、本発明は開示された実施形態に限定されるものではない。
【００４７】
例えば、以上の実施形態は、一列にされた複数のＬＥＤ１５と、それらに対応して整列された複数の光学素子１６とを示しているが、単一のＬＥＤ又は光学素子１６のみを有する実施形態、又は、例えばＬＥＤの２次元マトリクスとそれらに対応する複数の光学素子１６など、その他の構成を有する実施形態が提供され得る。これらの実施形態におけるホルダ１４及び光学素子１６は１ピースとして設けられ、例えば、射出成形によって製造されることになるが、別々のパーツを有する他の実施形態が考えられる。また、図７、８に示した異なる形状によって例示されるように、第１及び第２の保持部２４ａ、２４ｂの具体的な形状は、これら双方の少なくとも一部が光軸Ｏの方向に延在する限りにおいて、それが曲がっていようが、丸みを帯びていようが、又は傾いていようが、様々とし得る。
【００４８】
開示された実施形態へのその他の変形が、図面、本開示及び添付の請求項の検討から、請求項に係る発明を実施する当業者によって理解されて実現され得る。
【００４９】
請求項において、用語“有する”はその他の要素を排除するものではなく、不定冠詞“ａ”又は“ａｎ”は複数であることを排除するものではない。
【００５０】
特定の複数の手段が相互に異なる従属項又は実施形態に記載されているという単なる事実は、それらの手段の組合せが有利に使用され得ないということを指し示すものではない。
【００５１】
請求項中の如何なる参照符号も、発明の範囲を限定するものとして解されるべきでない。
【図１】
2019503048.tif 000003
【図２】
2019503048.tif 000004
【図３】
2019503048.tif 000005
【図４】
2019503048.tif 000006
【図５】
2019503048.tif 000007
【図６】
2019503048.tif 000008
【図７】
2019503048.tif 000009
【図８】
2019503048.tif 000010
【図９ａ】
2019503048.tif 000011
【図９ｂ】
2019503048.tif 000012
【図１０ａ】
2019503048.tif 000013
【図１０ｂ】
2019503048.tif 000014
【図１１】
2019503048.tif 000015
【国際調査報告】
2019503048.tif 000016
2019503048.tif 000017
2019503048.tif 000018